(57)【特許請求の範囲】
【請求項１】
ベースと、ボックスと、前記ベースの両側部に立設された一対の帆立と、前記帆立に架設された横方向の桁と、前記桁に架設された縦方向の背貫と、前記背貫に摺動するように取り付けられた下側スライダーと、前記下側スライダー上を摺動するように取り付けられた上側スライダーと、下側スライダーの下端部に固着した受け部材と、上側スライダーの任意の位置に仮固定することができる押さえ部材及び中間受け具とを有し、前記ボックスはベース上に前後方向に移動可能に載置され、
上側スライダーの側面には溝が形成されており、下側スライダーに固着したホルダーが前記溝と係合しており、上側スライダーと下側スライダーとを離隔することによって前記係合部分が圧着して、上側スライダーと下側スライダーとを仮固定することができ、
押さえ部材及び中間受け具には連結板が設けられ、前記連結板は上側スライダーの溝と係合する凸条を有し、上側スライダーと前記連結板とを離隔することによって前記係合部分が圧着して、押さえ部材又は中間受け具は上側スライダーと仮固定することができることを特徴とする画架。
【請求項２】
請求項１に記載の帆立を揺動可能にベースに取り付け、前記帆立の中間位置を、ベースに立設した支柱によって支持したことを特徴とする画架。
【発明の詳細な説明】
【０００１】
【発明の属する技術分野】
本発明は、絵を描く際にカンバスなどを固定する画架に関し、詳しくはカンバスがどのような大きさであっても、カンバスの上下縁を容易かつ確実に挟むことができるようにした画架に関するものである。
【０００２】
【従来の技術】
アトリエなどで絵を描く際は、一般的にカンバスを固定する画架が使用される。画架にはカンバスの下縁と上縁とを受け部材と押さえ部材とによって挟むようにしたものがある。受け部材と押さえ部材は、三脚の前面側の２本の脚の上下に取り付けられたり、２本の平行な帆立の間に斜め向きに配設された枠体に取り付けられたりする。
【０００３】
ところで絵を描く際には、筆や絵の具入れ、溶剤、定規等の小物が手元ある方が便利である。またこれらの小物は、使い勝手が良い様に引出しに整理されていることが望ましい。そこでこれらの小物入れ用の引出しボックスが取り付けられた画架が市販されている。引出しボックスは、画架の前に腰掛けて絵を書く際に、引出しを手前に引き良いように、画架のベース上に設けられている。そして従来技術の画架では、引出しボックスは、ベース上に一体的に固定されており、容易に動かすことはできない。
【０００４】
【発明が解決しようとする課題】
画架は、カンバスのサイズに併せて複数所有することが便利ではあるが、費用や置き場所の点で無理がある。そのため市場には、小さなカンバスから大きなカンバスまで固定できる様な汎用性が高い画架の需要がある。この種の画架は、帆立に極めて長い背貫を設け、カンバスの受け部材をベース近くまで下げることができる様に構成される。
【０００５】
しかしながら、受け部材をベース近くまで下げる構成の画架では、従来技術の欄で述べたような引出しボックス付きの構成にできない不満がある。
すなわち大きなカンバスを固定できるように、受け部材をベース近くまで下げることができる構成とすると、背貫をベース近くまで設ける必要があり、引出しボックスを置くスペースが無い。また背貫を短くして背貫にスライド部材を設ける等の工夫をすれば、引出しボックスを置くスペースだけは確保できるものの、大きなカンバスを支持する際に受け部材を下げた際、受け部材自身が引出しボックスと干渉することは避けられない。
【０００６】
そこで本発明は、従来技術の上記した問題点に注目し、小さな画架から大きな画架まで固定できる汎用性を持ち、且つボックスを有する構成の画架を提供することを課題とする。
【０００７】
【課題を解決するための手段】
上記の課題を解決するための手段は、上下方向にスライド可能な受け部材を有する画架において、ベースと、ボックスを有し、該ボックスは、ベース上に前後方向に移動可能に載置され、前記受け部材は、前記ボックスの高さまで降下可能であることを特徴とする画架である。
【０００８】
上記手段によると、ベース上にボックスを有するので、当該ボックス内に筆等の小物を入れておくことができる。本発明の画架は、小さいサイズから中間程度までのサイズのカンバスを固定する際には、従来技術のボックス付き画架と同様に使用することができ、例えば画架の前に座った状態で、足元のボックスから所定の小物を取り出すことができる。
また本発明の画架では、ボックスが前後方向に移動可能であるから、大きいサイズのカンバスを固定する際には、ボックスを後方にずらすことによって、受け部材とボックスとの干渉を避けることができる。
大きいサイズのカンバスを固定する際には、多くの場合、ボックスを利用することはできないが、ベース近くまで受け部材を下げる様な場合とは、例えば１００号程度の絵を書く場合であり、その頻度は極めて少ない。そのため一般的な使用者が使用する画架としては、その様な大きな絵を書く際にボックスの使用ができないことは、それほど大きな欠点とはならない。
【０００９】
またもう一つの手段は、ベースの両側部に一対の帆立を立設し、前記一対の帆立に横方向の桁を架設し、前記桁に縦方向の背貫を架設し、前記背貫にガイドされて昇降動する下側スライダーと上側スライダーとを取り付け、下側スライダーの下端部に前記受け部材を固着し、上側スライダーに任意の位置に仮固定することができる押さえ部材を取り付けたことを特徴とする。
【００１０】
上記の手段によれば、ベースの中心部分に一体的に固定される部材は背貫であり、背貫の下部には空間がある。すなわち本発明によると、背貫はベースよりも相当上方に設けることができ、下部の空間にボックスを配することができる。また下側スライダーは前記した背貫に対して昇降可能に取り付けられているので、小さなカンバスを固定する場合には受け部材および下側スライダーは、上方にあってボックスとは干渉しない。
上記の手段の画架の使用方法は、小さなサイズのカンバスを固定するときは、下側スライダーを上昇させ、上側スライダーを下降させる。大きなサイズのカンバスを固定するときは、下側スライダーを下降させ、上側スライダーを上昇させる。下側スライダーと上側スライダーとには、受け部材と押さえ部材とを任意の位置に取り付けることができるため、受け部材と押さえ部材との間隔が任意に変更でき、あらゆるサイズのカンバスの上下縁を挟んで固定することができる。
【００１１】
上記の課題を解決するための手段は、上側スライダーの下部に着脱自在の中間受け具を取り付けたことを特徴とする。
【００１２】
上記の手段によれば、中間受け具を使用することにより、小さめから中間的な大きさのカンバスでも無理なく固定することができる。すなわち、小さめから中間的な大きさのカンバスは、中間受け具と押さえ部材との間、又は受け部材と中間受け具との間に挟むことができる。
【００１３】
上記の課題を解決するための第２の手段は、上記の手段に記載の帆立を揺動可能にベースに取り付け、前記帆立の中間位置を、ベースに立設した支柱によって支持したことを特徴とする画架である。
【００１４】
上記の第２の手段によれば、帆立は支柱によって支持されて、直立姿勢から傾斜姿勢まで安定した状態となる。帆立が傾斜姿勢となると、帆立に架設された桁、桁に架設された背貫、背貫に取り付けられた下側スライダー及び上側スライダー、そして下側スライダー及び上側スライダーにそれぞれ取り付けられた受け部材と押さえ部材も傾斜姿勢となるため、受け部材と押さえ部材及び又は中間受け具に挟まれたカンバスも傾斜姿勢となる。
【００１５】
【発明の実施の形態】
本発明の実施の形態を図１から図１２を参照しながら説明する。図１は、小さめのカンバスを挟むときの画架全体の斜視図である。図２は、大きめのカンバスを挟むときの画架全体の斜視図である。図３は、同じく大きめのカンバスを挟むときの画架全体の正面図である。図４は、上側の桁を中心に描いた背面上側からの斜視図である。図５は、受け部材を中心に描いた正面下側からの斜視図である。図６は、中間受け具の背面上側からの斜視図である。
【００１６】
図７は、小さめのカンバスを挟むときの画架全体の正面図である。図８は、図７とは異なる使用形態で小さめのカンバスを挟むときの画架全体の正面図である。図９は、図７及び図８とは異なる使用形態で小さめのカンバスを挟むときの画架全体の正面図である。図１０は、大きめのカンバスを挟むときの画架全体の正面図である。図１１は、図１０とは異なる使用形態で大きめのカンバスを挟むときの画架全体の正面図である。図１２は、極端に大きなカンバスを挟むときの画架全体の正面図である。
【００１７】
本発明に係る画架は図１から図３に示すように、ベース１０の両側部に一対の帆立２０を平行に立設し、その帆立２０間で下側スライダー３０と上側スライダー４０が昇降動し、下側スライダー３０に受け部材５０を固着し、上側スライダー４０に押さえ部材６０を昇降動可能に取り付けたものである。
【００１８】
ベース１０は、台輪とも称される枠状のものである。そして本実施形態では、ベース１０の四隅の底面にはキャスターを取り付け、画架を移動させやすいようにする。ベース１０上には一対の帆立２０間で前後動するボックス１を着脱自在に載せる。ボックス１は絵画用具を収納するためのもので、使い勝手をよくするための複数の引出し１ａを具備する。ボックス１はその両側の下角部をベース１０の両側部の対向面上側に載せるようにする。ベース１０の対向面上側には、ボックス１の両側の下角部を載せる段差を形成し、その段差の上面にボックス１が滑りやすくするための帯状の滑り部材１１を固着する。
【００１９】
ベース１０の両側部に立設する帆立２０の下端部は円弧形状とし、揺動できるようにブラケット１２によってベース１０の両側部の中央上面に取り付ける。帆立２０が直立姿勢から傾斜姿勢まで安定して支えられるように支柱１３を架設する。支柱１３は帆立２０の中間位置とベース１０の後端部とを橋絡するように架設する。支柱１３の上端部は帆立２０の外側に接合し、ハンドル付ネジ８０のネジ部を挿通する。帆立２０の中間位置にはそのハンドル付ネジ８０のネジ部が貫通するスリット２１を形成し、帆立２０の内側にはナット付当て部材１４を接合する。ハンドル付ネジ８０のネジ部８１がナット付当て部材１４のナットに螺着する。
【００２０】
ハンドル付ネジ８０を締めつけると、支柱１３と帆立２０とがナット付当て部材１４によって圧着し、帆立２０が任意の姿勢で支柱１３に支えられる。ハンドル付ネジ８０を緩めると、そのネジ部が帆立２０のスリット２１内を移動することができる。したがって、帆立２０を寝かせる姿勢にするときは、ハンドル付ネジ８０のネジ部がスリット２１の上側に移動し、帆立２０を立てる姿勢にするときは、ハンドル付ネジ８０のネジ部がスリット２１の下側に移動する。そして、任意の位置でハンドル付ネジ８０を締めつけることにより、帆立２０は支柱１３によって安定して支えられる。
【００２１】
このような一対の帆立２０は、横方向に架設する２本の桁２２，２３によって連結する。下側の桁２２は、ベース１０上のボックス１が前後動することができるように、帆立２０の最下部から少し上方の位置に架設する。上側の桁２３の前面には図４に示すように、中央に不連続部を設けたガイド板２４を固着する。ガイド板２４の不連続部の対向面にはそれぞれ「Ｖ」字形の溝２５を縦方向に形成することにより、尖鋭な２本の凸条２６を突設する。
【００２２】
上側の桁２３がガイド板２４の不連続部に面する部位には、下側スライダー３０の奥側半分を嵌入する切欠部２７を形成する。下側スライダー３０の側面には、上側の桁２３に固着したガイド板２４の奥側（図４においては手前）の凸条２６を係入する「Ｖ」字形の溝３１を形成する。
【００２３】
このような下側スライダー３０は背貫２８上を摺動するように取り付ける。背貫２８は上側の桁２３と下側の桁２２との間に縦方向に架設するものである。本実施形態では、ベース１０の中間部分の上部に一体的に固定された垂直部材は、背貫２８だけである。そして背貫２８の長さは比較的短く、その下端は下側の桁２２に位置している。したがってベース１０から下側の桁２２の間には、空間が形成され、前記したボックス１の収納スペースが確保される。
背貫２８の前面には図５に示すように、鋸歯状の係止具２９を装入する。鋸歯状の係止具２９は、多数の斜め部と横部とを連続して形成したもので、斜め部は下側から上側へ手前方向に突出するようにする。
【００２４】
この係止具２９には図５に示すように、揺動する「Ｌ」字形のレバー５１が係止する。レバー５１は下側スライダー３０の下端部に固着した受け部材５０の底面に枢着する。受け部材５０の側面形状は「Ｌ」字形とし、横部分５２と縦部分５３とから構成する。受け部材５０の横部分５２は２本の帆立２０の間隔よりも長くし、大きなカンバスＣも載せられるようにする。受け部材５０の横部分５２の上面には溝５２ａを形成し、載せられたカンバスＣがずり落ちないようにする。受け部材５０の縦部分５３は帆立２０の対向面に食い込むようにする。したがって帆立２０の対向面には、受け部の縦部分５３の幅の溝２０ａを形成する。
【００２５】
受け部材５０を下端部に固着した下側スライダー３０の上端部の中央には、上側スライダー４０をハンドル付ネジ８０によって仮固定するためのネジ孔（図示せず）を形成し、下側スライダー３０の上端部の表面にはそのネジ孔を塞ぐクッション（図示せず）を取り付ける。下側スライダー３０の上端部の側面には図４に示すように、上側スライダー４０の側面を係止するための「く」字形のホルダー３２を固着する。したがって、上側スライダー４０の側面には、前記ホルダー３２と上記ガイド板２４の不連続部に形成した手前側（図４においては奥側）の凸条２６とが係合する溝４１を形成する。
【００２６】
上側スライダー４０は下側スライダー３０上を摺動するように取り付ける。上側スライダー４０は、所望の位置でハンドル付ネジ８０を締めつけることにより仮固定することができる。すなわち、ハンドル付ネジ８０が上側スライダー４０と下側スライダー３０とを離隔させ、上側スライダー４０の溝４１と下側スライダー３０に固定したホルダー３２とが圧着することによって、上側スライダー４０は仮固定される。
【００２７】
上側スライダー４０には任意の位置に仮固定することができる押さえ部材６０と中間受け具７０とを取り付ける。押さえ部材６０は、カンバスＣの上縁と当接する横方向の当接部６１と、上側スライダー４０に仮固定するための連結板６２を「逆Ｔ」字形に一体化したものである。中間受け具７０は押さえ部材６０よりも下側に着脱自在に取り付け、下側スライダー３０に取り付けた受け部材５０と対向する押さえ部７１と、上側スライダー４０に取り付けた押さえ部材６０と対向する台座部７２とを連結板７３によって「工」字形に一体に形成したものである。押さえ部材６２の当接部６１、中間受け具７０の押さえ部７１及び台座部７２には、カンバスＣが外れないようにするための溝を形成する。
【００２８】
押さえ部材６０の連結板６２も中間受け具７０の連結板７３も図６に示すように（図６は中間受け具７０であるが、基本的な構造は押さえ部材６０も同じ。）、その中心にはネジ孔７４を形成し、裏面側には上側スライダー４０の前面と嵌合する浅溝７５を形成する。浅溝７５の両側は「Ｖ」字形の溝７６を形成し、上側スライダー４０の側面に形成した溝４１と係合する尖鋭な凸条７７を突設する。浅溝７５の中心にはネジ孔７４の部分を含む縦方向の細溝７８を形成し、この細溝７８内にネジ孔７４を塞ぐクッション付の舌片７９を取り付ける。ネジ孔７４にはハンドル付ネジ８０を螺合し、ハンドル付ネジ８０の先端部がクッションを押圧することにより、上側スライダー４０がハンドル付ネジ８０に傷つけられることなく、押さえ部材６９及び中間受け具７０が上側スライダー４０に仮固定することができるようにする。
【００２９】
本発明に係る画架は以上のように構成し、つぎにその使用方法について図７から図１２を参照しながら説明する。
【００３０】
まず、最も小さなカンバスＣに絵画を描くときは、図７から図９のいずれかに示すように、受け部材５０、押さえ部材６０及び又は中間受け具７０の間隔が狭くなるように配置する。図７に示す使用形態は、下側スライダー３０を上寄りに位置し、受け部材５０が下側の桁２２よりも上側に配置し、押さえ部材６０をカンバスＣの大きさに対応させて下寄りに配置するものである。間隔が狭い受け部材５０と押さえ部材６０とによって小さなカンバスＣを挟むことができる。
【００３１】
本使用形態では、ボックス１は手前、より具体的には受け部材５０の下部に位置させる。したがって、使用者は画架の前に椅子を置いて腰掛けた場合、その足元にボックス１が位置し、引出し１ａを自由に使用することができる。すなわち受け部材５０を下側の桁２２よりも上側に配置することにより、ボックス１を手前に引き出すことができ、絵画を製作中に絵画用具を使用しやすくなる。また、ボックス１上にパレット（図示せず）などを載せることができるため、絵画を製作しやすくなる。
【００３２】
図８に示す使用形態は、中間受け具７０を使用して最も小さなカンバスＣを挟むようにしたものである。すなわち図８の実線に示すように、下側スライダー３０を上寄りに位置し、受け部材５０が下側の桁２２よりも上側に配置するが、中間受け具７０を上側スライダー４０の下部に配置し、押さえ部材６０を上側スライダー４０の上側スライダー４０の上側に配置し、中間受け具７０と押さえ部材６０とでカンバスＣを挟むようにする。
【００３３】
また図８の仮想線に示すように、中間受け具７０を上側スライダー４０の上部に配置し、中間受け具７０と受け部材５０とによってカンバスＣを挟むようにすることもできる。いずれの場合であっても、中間受け具７０と受け部材５０又は押さえ部材６０との間隔が狭く、小さなカンバスＣを挟むことができる。また、受け部材５０を下側の桁２２よりも上側に配置することにより、ボックス１を手前に引き出し、絵画を製作しやすくなる。
【００３４】
図９に示す使用形態は、本実施形態の画架では特殊な使用方法であり、あえてボックス１を使用しない場合の例である。図９に示す使用形態は、下側スライダー３０を下寄りに位置させ、受け部材５０を下側の桁２２よりも下側に配置し、押さえ部材６０を上側スライダー４０の上部に配置し、中間受け具７０を上側スライダー４０の下部に配置するものである。カンバスＣは受け部材５０と中間受け具７０及び又は中間受け具７０と押さえ部材６０との間で挟むことができる。したがって、ボックス１は奥側に位置したままとなくなるが、２枚のカンバスＣを挟むことができる。２枚のカンバスＣを挟むことにより、特に展示即売会などにおいて、比較しやすいように使用することができる。また中間受け具７０は図９の仮想線に示すように、任意の位置に変更することができるため、様々なサイズのカンバスＣを挟むことができる。
【００３５】
大きめのサイズのカンバスＣは、図１０及び図１１に示すように受け部材５０と押さえ部材６０との間隔を広めにして使用する。すなわち図１０に示す使用形態は、下側スライダー３０を上寄りに位置させ、受け部材５０を下側の桁２２よりも上側に配置し、上側スライダー４０を上寄りに位置させ、上側スライダー４０の上部に押さえ部材６０を配置する。この押さえ部材６０に代えて中間受け具７０を使用することもできる。受け部材５０と押さえ部材６０又は中間受け具７０との間隔は広めになり、大きめのサイズのカンバスＣを挟むことができる。また、受け部材５０を下側の桁２２よりも上側に配置することにより、ボックス１を使用者の足元に配置することができ、引出し１ａを使用することができるため、絵画を製作しやすくなる。
【００３６】
図１１に示す使用形態は、本実施形態の画架では特殊な使用方法であり、あえてボックス１を使用しない場合の例である。図１１に示す使用形態は、下側スライダー３０を下寄りに位置させ、受け部材５０を下側の桁２２よりも下側に配置し、上側スライダー４０も下寄りに位置させ、上側スライダー４０の上部に、カンバスＣのサイズに合わせて押さえ部材６０又は中間受け具７０を配置する。ただし、押さえ部材６０は、上側スライダー４０を上昇させた状態で、上側スライダー４０の中間部に配置することもできる。このようにして、受け部材５０と押さえ部材６０又は中間受け具７０との間隔が広めになることによって、大きめのカンバスＣを挟むことができる。
【００３７】
最後に、極めて大きなサイズのカンバスＣは、図１２に示すように受け部材５０と押さえ部材６０との間隔を最大限に広げて使用する。極めて大きなサイズのカンバスＣを使用する場合には、ベース１０上のボックス１を摺動させて後方にずらせ、受け部材５０との干渉を避ける。そして下側スライダー３０を下寄りに位置させて、受け部材５０を下側の桁２２よりも下側に配置し、上側スライダー４０を上寄りに位置させて、上側スライダー４０の上部に押さえ部材６０又は中間受け具７０を配置する。したがって、受け部材５０と押さえ部材６０又は中間受け具７０との間隔が最大になる。
【００３８】
極めて大きなサイズのカンバスＣを固定する場合には、ボックス１の使用はできないが、通常の使用者においては、この様な極大のカンバスＣを使用する頻度は低いと予想される。
このようにして、本発明に係る画架は、様々なサイズのカンバスＣを受け部材５０、押さえ部材６０及び又は中間受け具７０によって挟むことができる。また極大のカンバスＣを使用する場合こそ、ボックス１の使用はできないものの、頻度の多い中小サイズのカンバスＣを使用する場合にはボックス１の使用が可能であり、本実施形態の画架は使用勝手が良い。
【００３９】
つぎに、下側スライダー３０を昇降して仮固定する方法について説明する。下側スライダー３０は図５に示すように、受け部材５０の底面に枢着したＬ字形のレバー５１の先端部が背貫２８に装入した係止具２９に係止することによって、所望の位置に仮固定される。係止具２９はレバー５１の先端部が押圧する横部と、下側から上側へ突出する斜め部とから構成される。したがって、下側スライダー３０は、受け部材５０を両手で持ち上げるだけで、所望の位置に仮固定することができる。
【００４０】
すなわち、受け部材５０を持ち上げると、レバー５１の先端部が係止具２９の横部から上昇し、レバー５１は図５の仮想線に示すように斜め部によって傾倒した姿勢になる。そして、受け部材５０をさらに持ち上げ続けると、レバー５１の先端部が上の係止具２９の横部に係止する。逆に下側スライダー３０を下降するには、受け部材５０を若干、持ち上げて手でレバー５１を傾倒させ、レバー５１の先端部を係止具２９の横部から外す。そして、所望の位置でレバー５１を元の姿勢に戻し、レバー５１の先端部を係止具２９の横部に載せる。このようにして、下側スライダー３０は任意の位置に容易に仮固定することができる。
【００４１】
つぎに、上側スライダー４０を昇降して仮固定する方法について説明する。上側スライダー４０は図４に示すように、側面に溝４１が形成され、この溝４１に下側スライダー３０の上端部に固着したホルダー３２と、ガイド板２４の手前側の凸条２６とが係合することによって下側スライダー３０上を摺動し、下側スライダー３０の上端部を貫通したハンドル付ネジ８０によって仮固定される。ハンドル付ネジ８０を締めつけると、ハンドル付ネジ８０の先端部がクッションを介して上側スライダー４０を下側スライダー３０から離隔しようとする。すると、ホルダー３２と上側スライダー４０の凸条４２とが圧着して仮固定される。逆に、ハンドル付ネジ８０を緩めると、ガイド板２４と上側スライダー４０の凸条４２とが圧着しなくなり、上側スライダー４０が下側スライダー３０から離れて自由に昇降動することができる。
【００４２】
つぎに、押さえ部材６０と中間受け具７０を昇降して仮固定する方法について説明する。押さえ部材６０と中間受け具７０も基本的な構造は同じであるから、ここでは押さえ部材６０を含めて中間受け具７０という。中間受け具７０は図６に示すように、ハンドル付ネジ８０を締めつけることによってハンドル付ネジ８０の先端部がクッションを介して上側スライダー４０を押圧し、中間受け具７０は上側スライダー４０から離隔しようとする。すると、押さえ部材６０の連結板６２の裏面側に形成した尖鋭な凸条７７と、上側スライダー４０の尖鋭な凸条４２とが圧着されて仮固定することができる。
【００４３】
逆に、ハンドル付ネジ８０を緩めると、中間受け具７０は上側スライダー４０に接近しようとする。すると、押さえ部材６０の連結板６２の裏面側に形成した尖鋭な凸条７７と、上側スライダー４０の尖鋭な凸条４２とが圧着されなくなり、中間受け具７０は上側スライダー４０上を自由に昇降動することができる。そして、中間受け具７０は極端には、上側スライダー４０から外すこともできる。
【００４４】
なお、本発明は上記実施の形態に限定することなく、本発明の要旨内において設計変更することができる。たとえば、２本の帆立は平行に立設するものに代え、頂部を連結するように「逆Ｖ」字形に立設することもできる。この場合は背貫は不要となる。さらに、ベースは台輪と称される枠状のものに限定するものではなく、Ｈ形状などでも実施することができる。また、桁は上下に２本、架設するほか、桁と背貫とを一体構造とすることもできる。
【００４５】
【発明の効果】
本発明の画架は、大小さまざまなカンバスを固定できる汎用性と、収納用のボックスを有する利便性を併せ持つ効果がある。
【００４６】
また、受け部材及び押さえ部材を任意の位置に配置することができるようにしたことにより、１台の画架で様々なサイズのカンバスを挟むことができる。したがって、何種類もの画架を備える必要がなく、またアトリエが狭くなるといった不具合を解消することができる。
【００４７】
また、中間受け具を取り付けたことにより、小さめから中間的な大きさのカンバスを、中間受け具と受け部材との間又は押さえ部材と受け部材との間で挟むことができる効果があり、小さめから中間的な大きさのカンバスを任意の位置に固定することができるため、利便性が向上する。さらに２枚のカンバスを挟むことができるので、本画架を展示会で使用すると、２枚のカンバスに描かれた絵を比較しやすくなる。
【００４８】
さらに請求項２に記載の発明によれば、帆立が支柱によって支えられるため、カンバスを任意の角度に傾斜させることができるだけでなく、カンバスは安定して挟まれるため、絵画を作成する使用状態が向上する。
【図面の簡単な説明】
【図１】  小さめのカンバスを挟むときの画架全体の斜視図である。
【図２】  大きめのカンバスを挟むときの画架全体の斜視図である。
【図３】  図２と同じく大きめのカンバスを挟むときの画架全体の正面図である。
【図４】  上側の桁を中心に描いた背面上側からの斜視図である。
【図５】  受け部材材を中心に描いた正面下側からの斜視図である。
【図６】  中間受け具の背面上側からの斜視図である。
【図７】  小さめのカンバスを挟むときの画架全体の正面図である。
【図８】  図７とは異なる使用形態で小さめのカンバスを挟むときの画架全体の正面図である。
【図９】  図７及び図８とは異なる使用形態で小さめのカンバスを挟むときの画架全体の正面図である。
【図１０】  大きめの大きさのカンバスを挟むときの画架全体の正面図である。
【図１１】  図１０とは異なる使用形態で大きめの大きさのカンバスを挟むときの画架全体の正面図である。
【図１２】  極端に大きなカンバスを挟むときの画架全体の正面図である。
【符号の説明】
１    ボックス
１０    ベース
１３    支柱
２０    帆立
２２    桁
２３    桁
２８    背貫
３０    下側スライダー
４０    上側スライダー
５０    受け部材
６０    押さえ部材
７０    中間受け具
【図１】
0003647004.tif 000002
【図２】
0003647004.tif 000003
【図３】
0003647004.tif 000004
【図４】
0003647004.tif 000005
【図５】
0003647004.tif 000006
【図６】
0003647004.tif 000007
【図７】
0003647004.tif 000008
【図８】
0003647004.tif 000009
【図９】
0003647004.tif 000010
【図１０】
0003647004.tif 000011
【図１１】
0003647004.tif 000012
【図１２】
0003647004.tif 000013